【手続補正書】
【提出日】平成28年4月26日(2016.4.26)
【手続補正１】
【補正対象書類名】特許請求の範囲
【補正対象項目名】全文
【補正方法】変更
【補正の内容】
【特許請求の範囲】
【請求項１】
被覆を被加工品に施すシステムであって、
水に基づいた液体を前記被加工品に導くと共に吸引を通じて過剰な液体を除去するように構成されたアプリケータヘッドと、
スチーム供給源に作動的に結合された加湿装置であって、スチームを前記アプリケータヘッドに導くように構成された第１及び第２スチーム排出管を有する加湿装置と、を備え、
前記第１スチーム排出管は、前記アプリケータヘッドの軸に対して第１角度位置に配置され、且つ、前記第２スチーム排出管は、前記アプリケータヘッドの前記軸に対して第２角度位置に配置され、前記第１角度位置は前記第２角度位置とは異なるシステム。
【請求項２】
前記加湿装置は、前記アプリケータヘッドが作動した際に前記第１及び第２スチーム排出管を通じてスチームを排出するように構成されている請求項１に記載のシステム。
【請求項３】
前記第１角度位置は前記第２角度位置から少なくとも４５°離隔している請求項１又は２に記載のシステム。
【請求項４】
前記第１スチーム排出管及び前記第２スチーム排出管は、前記アプリケータヘッドを挟んで互いに反対側に配置される請求項１乃至３の何れか１項に記載のシステム。
【請求項５】
前記第１スチーム排出管は第１の複数のスチームポートを有し、且つ、前記第２スチーム排出管は第２の複数のスチームポートを有する請求項１乃至４の何れか１項に記載のシステム。
【請求項６】
前記加湿装置は、第３及び第４スチーム排出管を更に有し、前記第３スチーム排出管は、前記アプリケータヘッドの前記軸に対して第３角度位置に配置され、且つ、前記第４スチーム排出管は、前記アプリケータヘッドの前記軸に対して第４角度位置に配置され、且つ、前記第１、前記第２、前記第３、及び前記第４角度位置のそれぞれは互いに異なる請求項１乃至５の何れか１項に記載のシステム。
【請求項７】
前記第１スチーム排出管は第１の複数のスチームポートを有し、前記第２スチーム排出管は第２の複数のスチームポートを有し、前記第３スチーム排出管は第３の複数のスチームポートを有し、且つ、前記第４スチーム排出管は第４の複数のスチームポートを有する請求項６に記載のシステム。
【請求項８】
前記第１スチーム排出管及び前記第２スチーム排出管は、前記アプリケータヘッドを挟んで互いに反対側に配置され、且つ、前記第３スチーム排出管及び前記第４スチーム排出管は、前記アプリケータヘッドを挟んで互いに反対側に配置される請求項７に記載のシステム。
【請求項９】
前記加湿装置は、前記第１及び第２スチーム排出管を有する環状の導管を有するスチーム供給マニホルドを更に有し、且つ、前記スチーム供給マニホルドは、前記アプリケータヘッドの前記軸が前記環状の導管の中央開口部を通過するように前記アプリケータヘッドに装着される請求項１乃至８の何れか１項に記載のシステム。
【請求項１０】
前記加湿装置は、前記スチーム排出管を前記スチーム供給源に動作可能に結合する１つ又は複数のスチーム供給導管を更に有する請求項１乃至８の何れか１項に記載のシステム。
【請求項１１】
前記アプリケータヘッドの前記軸は、前記アプリケータヘッドを通過する前記被加工品の移動方向に対して垂直であり、且つ、前記アプリケータヘッドの塗布方向に対して平行である請求項１乃至９の何れか１項に記載のシステム。
【請求項１２】
被覆を被加工品に施すシステムであって、
液体を前記被加工品上に導くと共に吸引を通じて過剰な液体を除去するように構成されたアプリケータヘッドと、
スチーム供給源に動作可能に結合された加湿装置であって、前記加湿装置は、前記アプリケータヘッドに取り付けられたスチーム供給マニホルドを有し、前記スチーム供給マニホルドは、スチームを前記アプリケータヘッドの少なくとも２つの外側部に向かって導くように構成された複数のスチームポートを有する、加湿装置と、を有するシステム。
【請求項１３】
前記スチーム供給マニホルドは、複数の導管を更に有し、前記導管のそれぞれは、同導管の側壁に形成された複数のスチームポートのうちの少なくとも１つを含む
【請求項１４】
前記複数の導管は、前記アプリケータヘッドの周囲を取り囲むように配置される請求項１３に記載のシステム。
【請求項１５】
前記スチーム供給マニホルドは、環状の導管を更に有し、前記複数のスチームポートは、前記環状の導管の側壁内に形成される請求項１２に記載のシステム。
【請求項１６】
前記複数のスチームポートは、前記アプリケータヘッドの周囲を取り囲むように前記環状の導管上に配置される請求項１５に記載のシステム。
【請求項１７】
前記複数のスチームポートは、スチームを前記アプリケータヘッドの少なくとも３つの外側部に向かって導くように配置される請求項１２に記載のシステム。
【請求項１８】
前記加湿装置は、前記アプリケータヘッドが作動した際にスチームを生成するように構成される請求項１２乃至１７の何れか１項に記載のシステム。
【請求項１９】
前記複数のスチームポートは、前記アプリケータヘッドの２つの互いに対向する側に沿って分布する請求項１２に記載のシステム。
【請求項２０】
被加工品を被覆するために構成されたアプリケータヘッドを加湿するシステムであって、
スチーム供給源に動作可能に結合された少なくとも１つのスチーム供給導管と、
前記少なくとも１つのスチーム供給導管に動作可能に結合され、且つ、スチームを基準ゾーンの周囲の少なくとも２つの異なる側に向かって導くように構成された第１スチーム排出管及び第２スチーム排出管と、を備えるシステム。
【請求項２１】
前記第１スチーム排出管は、第１の複数のスチームポートを有し、且つ、前記第２スチーム排出管は、第２の複数のスチームポートを有する請求項２０に記載のシステム。
【請求項２２】
前記少なくとも１つのスチーム供給導管に動作可能に結合された第３スチーム排出管及び第４スチーム排出管を更に備え、前記スチーム排出管は、スチームを前記基準ゾーンの周囲の少なくとも４つの側から前記基準ゾーンに向かって導くように構成される請求項２０に記載のシステム。
【請求項２３】
前記第１スチーム排出管は前記基準ゾーンを挟んで前記第２スチーム排出管の反対側に配置される請求項２０乃至２２の何れか１項に記載のシステム。
【請求項２４】
前記第１及び前記第２スチーム排出管を有する環状の導管を有するスチーム供給マニホルドを更に有し、前記環状の導管の中央開口部は、前記基準ゾーンを有する請求項２０乃至２３の何れか１項に記載のシステム。
【請求項２５】
被加工品を被覆する方法であって、
前記被加工品を被覆するように構成されたアプリケータヘッドの周囲における少なくとも２つの側に向かってスチームを導くように少なくとも２つのスチーム排出管を位置決めするステップと、
前記少なくとも２つのスチーム排出管を少なくとも１つのスチーム供給導管を通じてスチーム供給源に結合するステップと、
前記アプリケータヘッドが作動した際に前記スチーム供給源を起動して前記少なくとも２つのスチーム排出管を通じてスチームを注出するステップと、を有する方法。
【請求項２６】
前記少なくとも２つのスチーム排出管のそれぞれは、複数のスチームポートを有する請求項２５に記載の方法。
【請求項２７】
前記少なくとも２つのスチーム排出管を位置決めするステップは、前記少なくとも２つのスチーム排出管を、前記アプリケータヘッドを挟んで互いに反対側に位置させるステップを含む請求項２５又は２６に記載の方法。